(57)【要約】【課題】一つの信号に混在する正極性、および負極性の所定幅未満のパルスを検出し、双方共に幅拡張を行うことを目的とする。【解決手段】入力信号から検出する、微小幅パルスの最大幅を規定する第一の遅延回路と、該検出した微小幅パルスの拡幅時間を規定する第二の遅延回路と、正極性の微小幅パルスを検出したことを保持する第一のラッチと、負極性の微小幅パルスを検出したことを保持する第二のラッチとを備え、第一のラッチがセットされている場合は、入力信号と第一の遅延回路の出力と第二の遅延回路の出力との論理和を選択し、第二のラッチがセットされている場合は、入力信号と第一の遅延回路の出力と第二の遅延回路の出力との論理積を選択し、第一のラッチと第二のラッチとがいずれもセットされていない場合は、入力信号を選択して出力することを特徴とする。【選択図】      図１
2004336572.tif 000002
【特許請求の範囲】
【請求項１】
入力信号から検出する、微小幅パルスの最大幅を規定する第一の遅延回路と、
該検出した微小幅パルスの拡幅時間を規定する第二の遅延回路と、
正極性の微小幅パルスを検出したことを保持する第一のラッチと、
負極性の微小幅パルスを検出したことを保持する第二のラッチとを備え、
入力信号と第二の遅延回路の出力とが擬で第一の遅延回路の出力が正のときに第一のラッチをセットし、入力信号と第一の遅延回路の出力と第二の遅延回路の出力とがいずれも擬のときに第一のラッチをリセットし、
入力信号と第二の遅延回路の出力とが正で第一の遅延回路の出力が擬のときに第二のラッチをセットし、入力信号と第一の遅延回路の出力と第二の遅延回路の出力とがいずれも正のときに第二のラッチをリセットし、
第一のラッチがセットされている場合は、入力信号と第一の遅延回路の出力と第二の遅延回路の出力との論理和を選択し、
第二のラッチがセットされている場合は、入力信号と第一の遅延回路の出力と第二の遅延回路の出力との論理積を選択し、
第一のラッチと第二のラッチとがいずれもセットされていない場合は、入力信号を選択して出力することを特徴とするパルス幅拡張回路。
【請求項２】
入力信号を所定時間遅延させて第一の遅延信号を生成し、
第一の遅延信号を所定時間遅延させて第二の遅延信号を生成し、
入力信号と第二の遅延信号とが擬で第一の遅延信号が正のときに第一のラッチをセットし、入力信号と第一の遅延信号と第二の遅延信号とがいずれも擬のときに第一のラッチをリセットし、
入力信号と第二の遅延信号とが正で第一の遅延信号が擬のときに第二のラッチをセットし、入力信号と第一の遅延信号と第二の遅延信号とがいずれも正のときに第二のラッチをリセットし、
第一のラッチがセットされている場合は入力信号と第一の遅延信号と第二の遅延信号との論理和を選択し、
第二のラッチがセットされている場合は入力信号と第一の遅延信号と第二の遅延信号との論理積を選択し、
第一のラッチと第二のラッチとがいずれもセットされていない場合は、入力信号を選択して出力することを特徴とするパルス幅拡張方法。
【発明の詳細な説明】
【０００１】
【発明の属する技術分野】
本発明はパルス幅拡張回路に関し、特に、一つの信号に混在する正極性、および負極性の所定幅未満のパルスを検出し、双方共に幅拡張を行う回路に関する。
【０００２】
【従来の技術】
例えばレーザープリンタで白い背景の中に１ドットの黒、または黒い背景の中に１ドットの白い画像を印刷する場合、図３に示すごとく、画像の入力信号は、正極性、または負極性の一単位の幅、すなわち微小幅のパルスとなる。このような微小幅の黒、または白に対応する感光体上の静電潜像は、図３のＢ、またはＷの矢印の位置に示すような空間的な応答特性を持つため、実画像の幅が縮小し、場合によっては画像が欠落してしまう。
【０００３】
従来、パルス幅を拡張する技術が開示されている（特許文献１参照）。
【０００４】
【特許文献１】
特開平１−２０２９１６
図４に、特許文献１に開示されている従来のパルス幅調整回路例を示す。図４においては、選択端子の入力にしたがって、選択回路はＡＮＤ回路の出力、またはＯＲ回路の出力を選択して出力する。
【０００５】
図５は、図４の回路において選択信号の入力が正極性のパルスの幅拡張を指示する場合のタイミング例１を示す。この場合、パルス幅が拡張されるのは矢印の部分となる。
図６は、図４の回路において選択信号の入力が負極性のパルスの幅拡張を指示する場合のタイミング例２を示す。この場合、パルス幅が拡張されるのは矢印の部分となる。
【０００６】
【発明が解決しようとする課題】
しかし、特許文献１に開示されているパルス幅調整回路では、元々幅の広いパルスであっても一律にパルス幅を拡張してしまう。また、幅を調整するパルスの極性をあらかじめ外部から設定する必要があり、同一信号内に混在する、正極性の微小幅パルス、および負極性の微小幅パルス双方共に幅拡張を行う要求には対応できない。
【０００７】
例えば、特許文献１に開示されている回路を画像信号回路に適用すると、図５の設定では１ドットの白はさらに細り画像全体が黒くなり、図６の設定では１ドットの黒はさらに細り画像全体が白くなってしまう。
本発明は、正極性、および負極性の、所定の幅未満のパルスのみの幅を、双方共に拡張する回路を提供することを目的とする。
【０００８】
【課題を解決するための手段】
第一の発明はパルス幅拡張回路であって、入力信号から検出する、微小幅パルスの最大幅を規定する第一の遅延回路と、該検出した微小幅パルスの拡幅時間を規定する第二の遅延回路と、正極性の微小幅パルスを検出したことを保持する第一のラッチと、負極性の微小幅パルスを検出したことを保持する第二のラッチとを備え、入力信号と第二の遅延回路の出力とが擬で第一の遅延回路の出力が正のときに第一のラッチをセットし、入力信号と第一の遅延回路の出力と第二の遅延回路の出力とがいずれも擬のときに第一のラッチをリセットし、入力信号と第二の遅延回路の出力とが正で第一の遅延回路の出力が擬のときに第二のラッチをセットし、入力信号と第一の遅延回路の出力と第二の遅延回路の出力とがいずれも正のときに第二のラッチをリセットし、第一のラッチがセットされている場合は、入力信号と第一の遅延回路の出力と第二の遅延回路の出力との論理和を選択し、第二のラッチがセットされている場合は、入力信号と第一の遅延回路の出力と第二の遅延回路の出力との論理積を選択し、第一のラッチと第二のラッチとがいずれもセットされていない場合は、入力信号を選択して出力することを特徴とする。
【０００９】
第二の発明はパルス幅拡張方法であって、入力信号を所定時間遅延させて第一の遅延信号を生成し、第一の遅延信号を所定時間遅延させて第二の遅延信号を生成し、入力信号と第二の遅延信号とが擬で第一の遅延信号が正のときに第一のラッチをセットし、入力信号と第一の遅延信号と第二の遅延信号とがいずれも擬のときに第一のラッチをリセットし、入力信号と第二の遅延信号とが正で第一の遅延信号が擬のときに第二のラッチをセットし、入力信号と第一の遅延信号と第二の遅延信号とがいずれも正のときに第二のラッチをリセットし、第一のラッチがセットされている場合は入力信号と第一の遅延信号と第二の遅延信号との論理和を選択し、第二のラッチがセットされている場合は入力信号と第一の遅延信号と第二の遅延信号との論理積を選択し、第一のラッチと第二のラッチとがいずれもセットされていない場合は、入力信号を選択して出力することを特徴とする。
【００１０】
これにより、パルス幅が所定の幅以上の場合はパルス幅の拡張を行わず、所定の幅未満の、正極性、および負極性のパルスの幅を双方共に拡張することが可能になる。
【００１１】
【発明の実施の形態】
図１は本発明の実施回路例を示し、図２は実施回路例のタイミングチャートを示す。なお、図２中の各信号の番号は、図１に示す信各号の番号に対応する。
図１の回路例は、入力信号から検出する、微小幅パルスの最大幅を規定する第一の遅延回路と、該検出した微小幅パルスの拡幅時間を規定する第二の遅延回路と、正極性の微小幅パルスを検出し、論理和信号１２の選択を指示する第一のラッチと、負極性の微小幅パルスを検出し論理積信号１１の選択を指示する第二のラッチとを備える。
【００１２】
第一のラッチは、入力信号Ｉと第二の遅延回路出力２とが擬で、第一の遅延回路出力１が正のとき、すなわち第一の遅延回路の遅延時間未満の幅の正極性のパルスを検出したときにセットされる。
一方第二のラッチは、入力信号Ｉと第二の遅延回路出力２とが正で、第一の遅延回路出力１が擬のとき、すなわち第一の遅延回路の遅延時間未満の幅の負極性パルスを検出したときにセットされる。
【００１３】
図２に示す入力信号Ｉに対しては、それぞれ、タイミング１において正極性の、タイミング２において負極性の所定幅未満のパルスを検出し、それぞれ第一のラッチ（和選択）の出力２１、および第二のラッチ（積選択）の出力２２をセットする。
第一のラッチ出力２１がセットされると、出力信号Ｏには論理和１２が選択されて出力される。
【００１４】
第二のラッチ出力２２がセットされると、出力信号Ｏには論理積１１が選択されて出力される。
第一のラッチ出力２１は、入力信号Ｉと第一の遅延回路の出力１と第二の遅延回路の出力２との論理和１２が擬となると、すなわち第一のラッチをセットした後、第二の遅延回路の遅延時間経過するとリセットされる。
【００１５】
同様にして、第二のラッチ出力２２は、論理積１１が正になるとリセットされる。
これにより、タイミング１の所定幅未満の正極性のパルスの幅、およびタイミング２の所定幅未満の負極性のパルスの幅が拡張される。
なお、所定幅未満のパルスが存在せず、第一のラッチ出力２１、および第二のラッチ出力２２がセットされていない場合は、出力信号Ｏには入力信号Ｉが選択されて出力される。
【００１６】
すなわち、第一の遅延回路の遅延時間未満の微小幅パルスを検出し、検出した微小幅パルスを第二の遅延回路の遅延時間分、幅拡張を行うことが可能となる。
【００１７】
【発明の効果】
以上説明したごとく、本発明によれば、正負のパルスが混在する信号であっても、所定幅未満の正負のパルスを検出し、検出したパルスのみ、パルス幅拡張を行うことが可能となる。
【図面の簡単な説明】
【図１】実施回路例
【図２】実施回路例のタイミングチャート
【図３】画像の入力信号と実画像
【図４】従来のパルス幅調整回路例
【図５】従来例のタイミングチャート１
【図６】従来例のタイミングチャート２
【符号の説明】
１  第一の遅延回路出力
２  第二の遅延回路出力
１１  負極性パルス検出信号
１２  正極性パルス検出信号
２１  和選択ラッチ出力
２２  積選択ラッチ出力
Ｉ  入力信号
Ｏ  出力信号
【図１】
2004336572.tif 000003
【図２】
2004336572.tif 000004
【図３】
2004336572.tif 000005
【図４】
2004336572.tif 000006
【図５】
2004336572.tif 000007
【図６】
2004336572.tif 000008